(57)【要約】  本発明は、複数の商品を保管する商品保管部と、前記商品保管部から商品を排出する排出部を有する自動販売機のためのディスプレイ装置に係り、ともに排出可能に複数の商品を選択することができる入力部と；前記選択された商品の情報及び数量を表示するディスプレイ部と；前記選択された商品の情報及び数量に基づいて前記選択された商品を前記排出部に排出するように前記商品保管部を制御する制御部と；を含むことを特徴とする。これによって、ともに排出されるように複数の商品を選択することができる。
2011523148.tif 000002
【特許請求の範囲】
【請求項１】
複数の商品を保管する商品保管部と、前記商品保管部から前記複数の商品の中で選択された商品を排出する排出部を有する自動販売機のためのディスプレイ装置において、
ともに排出可能に複数の商品を選択することができる入力部と；
前記選択された商品の情報及び数量を表示するディスプレイ部と；
前記選択された商品の情報及び数量に基づいて前記選択された商品を前記排出部に排出するように前記商品保管部を制御する制御部と；
を含むことを特徴とする自動販売機用ディスプレイ装置。
【請求項２】
前記制御部は、排出する前記商品を選択することができる商品選択メニュー及び前記商品選択メニューによって選択された商品の数量を設定する数量設定メニューを前記ディスプレイ部に表示することを特徴とする請求項１に記載の自動販売機用ディスプレイ装置。
【請求項３】
前記制御部は、投入金額に従って複数の商品の中で推薦商品を提案する推薦モードメニューを前記ディスプレイ部に表示することを特徴とする請求項２に記載の自動販売機用ディスプレイ装置。
【請求項４】
前記制御部は、前記推薦モードメニューの場合、前記投入金額に対して釣銭が少なく残る手順で前記複数の商品の中で商品リストを前記ディスプレイ部に表示することを特徴とする請求項３に記載の自動販売機用ディスプレイ装置。
【請求項５】
前記制御部は、ともに排出可能に前記選択された複数の商品の中で前記商品保管部から前記排出部に一度に排出されることができる商品量を制限することを特徴とする請求項１に記載の自動販売機用ディスプレイ装置。
【請求項６】
前記制御部は、一度に排出可能に既に設定された商品の基準数量に基づいて、一度に排出されることができる選択された商品の数量を前記基準数量以下に制御することを特徴とする請求項５に記載の自動販売機用ディスプレイ装置。
【請求項７】
前記制御部は、各商品別に既に設定された加重値及び一度に排出可能な商品の総数量に対して既に設定された基準加重置に基づいて、一度に排出されることができる選択された商品の加重置の合を前記基準加重値以下に制御することを特徴とする請求項５に記載の自動販売機用ディスプレイ装置。
【請求項８】
前記選択された商品の情報は、各選択された商品に対応するアイコン及び商品名の中で少なくとも一つであることを特徴とする請求項１に記載の自動販売機用ディスプレイ装置。
【請求項９】
前記ディスプレイ部は、平板パネルディスプレイであり、
前記入力部は、タッチパネルであることを特徴とする請求項１に記載の自動販売機用ディスプレイ装置。
【請求項１０】
前記ディスプレイ部と前記入力部は、一体型で形成されることを特徴とする請求項９に記載のディスプレイ装置。
【請求項１１】
前記入力部によって選択される前記選択された複数の商品は、一種の商品が複数であることを特徴とする請求項１に記載のディスプレイ装置。
【請求項１２】
前記入力部によって選択される前記選択された複数の商品は、複数の種類の商品がそれぞれ少なくとも一つであることを特徴とする請求項１に記載のディスプレイ装置。
【請求項１３】
前記制御部は、投入金額に対して、複数の商品の中で各商品の購入可能な個数を計算し、前記制御部によって計算された各商品の購入可能な個数を表示するように前記ディスプレイ部を制御することを特徴とする請求項１に記載のディスプレイ装置。
【請求項１４】
前記制御部は、投入金額に対して少なくとも一つの商品が選択されれば、残りの金額に対して追加的に選択可能な商品の残りの個数を再計算してディスプレイすることを特徴とする請求項１３に記載のディスプレイ装置。
【請求項１５】
自動販売機において、
複数の商品を保管する商品保管部と；
前記商品保管部から前記複数の商品の中で選択された商品を排出する排出部と；
ともに排出可能に複数の商品を選択することができる入力部と；
前記選択された商品の情報及び数量を表示するディスプレイ部と；
前記選択された商品の情報及び数量に基づいて前記選択された商品を前記排出部に排出するように前記商品保管部を制御する制御部と；
を含むことを特徴とする自動販売機。
【請求項１６】
前記制御部は、前記複数の商品を入力することができるように排出する商品を選択することができる商品選択メニュー及び前記商品選択メニューによって選択された商品の数量を設定する数量設定メニューを前記ディスプレイ部に表示することを特徴とする請求項１５に記載の自動販売機。
【請求項１７】
前記商品保管部と前記排出部との間には、前記商品保管部から前記選択された複数の商品が一度に排出されるように形成された排出通路が設けられることを特徴とする請求項１５に記載の自動販売機。
【請求項１８】
前記商品保管部と前記排出部との間には、前記商品保管部から前記選択された複数の商品が一度に排出されるように形成された複数の排出通路が設けられることを特徴とする請求項１５に記載の自動販売機。
【請求項１９】
前記選択された商品の情報は、各選択された商品に対応するアイコン及び商品名の中で少なくとも一つであることを特徴とする請求項１５に記載の自動販売機。
【請求項２０】
前記ディスプレイ部は、平板パネルディスプレイであり、
前記入力部は、タッチパネルであることを特徴とする請求項１５に記載の自動販売機。
【請求項２１】
前記ディスプレイ部と前記入力部は、一体型で形成されることを特徴とする請求項２０に記載の自動販売機。
【請求項２２】
前記入力部によって選択される前記選択された複数の商品は、一種の商品が複数であることを特徴とする請求項１５に記載の自動販売機。
【請求項２３】
前記入力部によって選択される前記選択された複数の商品は、複数の種類の商品がそれぞれ少なくとも一つであることを特徴とする請求項１５に記載の自動販売機。
【請求項２４】
前記制御部は、投入金額に対して、各、複数の商品の中で各商品の購入可能な個数を計算し、前記制御部によって計算された各商品の購入可能な個数を表示するように前記ディスプレイ部を制御することを特徴とする請求項１５に記載の自動販売機。
【請求項２５】
複数の商品を保管する商品保管部と、前記商品保管部から選択された商品を排出する排出部を有する自動販売機のためのディスプレイ装置の制御方法において、
複数の選択可能な商品を表示する段階と；
ともに排出可能に複数の商品が選択される段階と；
前記選択された商品の情報及び数量を表示する段階と；
前記選択された商品の情報及び数量に基づいて前記選択された商品を前記排出部に排出するように前記商品保管部を制御する段階と；
を含むことを特徴とする自動販売機用ディスプレイ装置の制御方法。
【請求項２６】
前記複数の商品を入力することができるように排出する商品を選択することができる商品選択メニュー及び前記商品選択メニューによって選択された商品の数量を設定する数量設定メニューを表示する段階をさらに含むことを特徴とする請求項２５に記載の自動販売機用ディスプレイ装置の制御方法。
【請求項２７】
投入金額に従って前記複数の商品の中で推薦商品を提案する推薦モードメニューを表示する段階をさらに含むことを特徴とする請求項２６に記載の自動販売機用ディスプレイ装置の制御方法。
【請求項２８】
前記推薦モードメニューの場合、前記投入金額に対して釣銭が少なく残る手順で前記複数の商品の中で商品リストを表示する段階をさらに含むことを特徴とする請求項２７に記載の自動販売機用ディスプレイ装置の制御方法。
【請求項２９】
釣銭が等しく残る前記商品リストの場合、前記商品保管部から各商品の排出量を検出する段階と；一番多く排出された商品手順で表示する段階と；をさらに含むことを特徴とする請求項２８に記載の自動販売機用ディスプレイ装置の制御方法。
【請求項３０】
ともに排出可能に選択された複数の商品の中で前記商品保管部から前記排出部に一度に排出されることができる商品量を制限する段階をさらに含むことを特徴とする請求項２５に記載の自動販売機用ディスプレイ装置の制御方法。
【請求項３１】
一度に排出可能に既に設定された商品の基準数量に基づいて、一度に排出されることができる前記選択された商品の数量を前記基準数量以下に制御する段階をさらに含むことを特徴とする請求項３０に記載の自動販売機用ディスプレイ装置の制御方法。
【請求項３２】
各商品別に既に設定された加重値及び一度に排出可能な商品の総数量に対して既に設定された基準加重置に基づいて、一度に排出されることができる商品の加重置の合を前記基準加重値以下に制御する段階をさらに含むことを特徴とする請求項３０に記載の自動販売機用ディスプレイ装置の制御方法。
【請求項３３】
タッチスクリーン機能を有するディスプレイ部を備える自動販売機の制御方法において、
複数の選択可能な商品を表示する段階と；
ともに排出可能に複数の商品が選択される段階と；
前記選択された商品の情報及び数量を表示する段階と；
前記選択された商品の情報及び数量に基づいて前記選択された商品を商品保管部から排出部に排出するように制御する段階と；
を含むことを特徴とする自動販売機の制御方法。
【請求項３４】
前記複数の商品を直接に入力することができるように排出する商品を選択することができる商品選択メニュー及び前記商品選択メニューによって選択された商品の数量を設定する数量設定メニューを表示する段階をさらに含むことを特徴とする請求項３３に記載の自動販売機の制御方法。
【発明の詳細な説明】
【技術分野】
【０００１】
本発明は、自動販売機に係り、さらに詳しくは、商品選択及び排出方式を改善した自動販売機用ディスプレイ装置、自動販売機及びその制御方法に関する。
【背景技術】
【０００２】
一般的に、自動販売機は、多種の商品を保管しており、消費者の選択によって投入金額に合う商品を購入することができるように構成された装置である。
【０００３】
最近このような自動販売機は、保管商品がコーヒーや缶飲料に限られず、菓子などのように多様化されており、無人販売による人件費減少の長所がある。したがって、自動販売機の使用が増加し続けている。
【０００４】
しかし、このような従来の自動販売機は、購買者によって選択された一つの商品が取り出される時まで、他の商品を選択して取り出すことができないように構成されているので、複数の商品を取り出す場合には長時間がかかるという短所がある。また、商品の取出に長時間がかかるので、商品の販売時間が増加し購買者の購買時間が増加するだけでなく、これによって購買放棄及び売上げ減少の問題が発生する恐れがある。
【発明の概要】
【発明が解決しようとする課題】
【０００５】
本発明の目的は、ともに排出される複数の商品を選択することができる自動販売機用ディスプレイ装置、自動販売機及びその制御方法を提供することである。
【０００６】
また、本発明の目的は、一度に複数の商品を排出することができる自動販売機用ディスプレイ装置、自動販売機及びその制御方法を提供することである。
【０００７】
さらに、本発明の目的は、一度に排出される商品の排出量を制限することができる自動販売機用ディスプレイ装置、自動販売機及びその制御方法を提供することである。
【課題を解決するための手段】
【０００８】
本発明の目的は、複数の商品を保管する商品保管部と、前記商品保管部から前記複数の商品の中で選択された商品を排出する排出部と、を有する自動販売機用ディスプレイ装置において、ともに排出可能に複数の商品を選択することができる入力部と；前記選択された商品の情報及び数量を表示するディスプレイ部と；前記選択された商品の情報及び数量に基づいて前記選択された商品を前記商品保管部から前記排出部に排出するように制御する制御部と；を含むことを特徴とする自動販売機用ディスプレイ装置によって達成される。
【０００９】
前記制御部は、前記複数の商品を入力することができるように排出する商品を選択することができる商品選択メニュー及び前記商品選択メニューによって選択された商品の数量を設定する数量設定メニューを前記ディスプレイ部に表示することができる。
【００１０】
前記制御部は、投入金額に従って前記複数の商品の中で推薦商品を提案する推薦モードメニューを前記ディスプレイ部に表示することができる。
【００１１】
前記制御部は、前記推薦モードメニューの場合、前記投入金額に対して釣銭が少なく残る手順で前記複数の商品の中で商品リストを前記ディスプレイ部に表示することができる。
【００１２】
前記制御部は、ともに排出可能に前記選択された複数の商品の中で前記商品保管部から前記排出部に一度に排出されることができる商品量を制限することができる。
【００１３】
前記制御部は、一度に排出可能に既に設定された商品の基準数量に基づいて、一度に排出されることができる選択された商品の数量を前記基準数量以下に制御することができる。
【００１４】
前記制御部は、各商品別に既に設定された加重値及び一度に排出可能な商品の総数量に対して既に設定された基準加重置に基づいて、一度に排出されることができる選択された商品の加重置の合を前記基準加重値以下に制御することができる。
【００１５】
前記選択された商品の情報は、各選択された商品に対応するアイコン及び商品名の中で少なくとも一つであることができる。
【００１６】
前記ディスプレイ部は、平板パネルディスプレイを含むことができるし、前記入力部は、タッチパネルを含むことができる。
【００１７】
前記ディスプレイ部及び前記入力部は、一体型で形成されることができる。
【００１８】
前記入力部によって選択される前記選択された複数の商品は、一種の商品が複数であることができる。
【００１９】
前記入力部によって選択される前記選択された複数の商品は、複数の種類の商品をそれぞれ少なくとも一つであることができる。
【００２０】
前記制御部は、投入金額に対して、複数の商品の中で各商品の購入可能な個数を計算し、前記制御部によって計算された各商品の購入可能な個数を表示するように前記ディスプレイ部を制御することができる。
【００２１】
前記制御部は、投入金額に対して少なくとも一つの商品が選択されれば、残りの金額に対して追加的に選択可能な商品の残りの個数を再計算してディスプレイすることができる。
【００２２】
本発明の目的は、自動販売機において、複数の商品を保管する商品保管部と；前記商品保管部から前記複数の商品の中で選択された排出された商品を取出可能に収容する排出部と；ともに排出可能に複数の商品を選択することができる入力部と；前記選択された商品の情報及び数量を表示するディスプレイ部と；前記選択された商品の情報及び数量に基づいて前記選択された商品を前記商品保管部から前記排出部に排出するように制御する制御部と；を含むことを特徴とする自動販売機によっても達成されることができる。
【００２３】
前記制御部は、前記複数の商品を入力することができるように排出する商品を選択することができる商品選択メニュー及び前記商品選択メニューによって選択された商品の数量を設定する数量設定メニューを前記ディスプレイ部に表示することができる。
【００２４】
前記自動販売機は、前記商品保管部と前記排出部との間に前記商品保管部から前記選択された複数の商品が一度に排出されるように形成された排出通路が設けられることができる。
【００２５】
前記自動販売機は、前記商品保管部と前記排出部との間に前記商品保管部から前記選択された複数の商品が一度に排出されるように形成された複数の排出通路が設けられることができる。
【００２６】
前記選択された商品の情報は、各選択された商品に対応するアイコン及び商品名の中で少なくとも一つを含むことができる。
【００２７】
前記ディスプレイ部は平板パネルディスプレイであり、前記入力部はタッチパネルを含むことができる。
【００２８】
前記ディスプレイ部と前記入力部は、一体型で形成されることができる。
【００２９】
前記入力部によって選択される前記選択された複数の商品は、一種の商品が複数であることができる。
【００３０】
前記入力部によって選択される前記選択された複数の商品は、複数の種類の商品をそれぞれ少なくとも一つであることができる。
【００３１】
前記制御部は、投入金額に対して、各、複数の商品の中で各商品の購入可能な個数を計算し、前記制御部によって計算された各商品の購入可能な個数を表示するように前記ディスプレイ部を制御することができる。
【００３２】
本発明の目的は、複数の商品を保管する商品保管部と、前記商品保管部から選択された商品を排出する排出部と、を有する自動販売機用ディスプレイ装置の制御方法において、複数の選択可能な商品を表示する段階と；ともに排出可能に複数の商品が選択される段階と；前記選択された商品の情報及び数量を表示する段階と；前記選択された商品の情報及び数量に基づいて前記選択された商品を前記商品保管部から前記排出部に排出するように制御する段階と；を含むことを特徴とする自動販売機用ディスプレイ装置の制御方法によって達成されることもできる。
【００３３】
前記方法は、前記複数の商品を入力することができるように排出する商品を選択することができる商品選択メニュー及び前記商品選択メニューによって選択された商品の数量を設定する数量設定メニューを表示する段階をさらに含むことができる。
【００３４】
前記方法は、投入金額に従って前記複数の商品の中で推薦商品を提案する推薦モードメニューを表示する段階をさらに含むことができる。
【００３５】
前記方法は、前記推薦モードメニューの場合、前記投入金額に対して釣銭が少なく残る手順で前記複数の商品の中で商品リストを表示する段階をさらに含むことができる。
【００３６】
前記方法は、釣銭が等しく残る前記商品リストの場合、前記商品保管部から各商品の排出量を検出する段階と；一番多く排出された商品手順で表示する段階と；をさらに含むことができる。
【００３７】
前記方法は、ともに排出可能に選択された複数の商品の中で前記商品保管部から前記排出部に一度に排出されることができる商品量を制限する段階をさらに含むことができる。
【００３８】
前記方法は、一度に排出可能に既に設定された商品の基準数量に基づいて、一度に排出されることができる前記選択された商品の数量を前記基準数量以下に制御する段階をさらに含むことができる。
【００３９】
前記方法は、各商品別に既に設定された加重値及び一度に排出可能な商品の総数量に対して既に設定された基準加重置に基づいて、一度に排出されることができる商品の加重置の合を前記基準加重値以下に制御する段階をさらに含むことができる。
【００４０】
また、本発明の目的は、タッチスクリーン機能を有するディスプレイ部を備える自動販売機の制御方法において、複数の選択可能な商品を表示する段階と；ともに排出可能に複数の商品が選択される段階と；前記選択された商品の情報及び数量を表示する段階と；前記選択された商品の情報及び数量に基づいて前記選択された商品を商品保管部から排出部に排出するように制御する段階と；を含むことを特徴とする自動販売機の制御方法によって達成されることもできる。
【００４１】
前記方法は、前記複数の商品を入力することができるように排出する商品を選択することができる商品選択メニュー及び前記商品選択メニューによって選択された商品の数量を設定する数量設定メニューを表示する段階をさらに含むことができる。
【図面の簡単な説明】
【００４２】
本発明の前記及び/または他の側面は、添付の図面を参照しながら後述する実施形態によってさらに明確になる。添付図面に対する簡単な説明は以下の通りである。
【図１】本発明の一実施形態による自動販売機の斜視図である。
【図２】本発明の一実施形態による自動販売機のドアの開放状態を示す斜視図である。
【図３】本発明の他の実施形態による自動販売機のドアの開放状態を示す斜視図である。
【図４】本発明の一実施形態による自動販売機の制御ブロック図である。
【図５】本発明の一実施形態による自動販売機用ディスプレイ装置のディスプレイ部にユーザー入力モードを示す図である。
【図６】本発明の一実施形態による自動販売機用ディスプレイ装置のディスプレイ部に推薦モードを示す図である。
【図７】本発明の各実施形態による自動販売機及び自動販売機のディスプレイ装置の制御フローチャートである。
【図８】本発明の各実施形態による自動販売機及び自動販売機のディスプレイ装置の制御フローチャートである。
【図９】本発明の各実施形態による自動販売機及び自動販売機のディスプレイ装置の制御フローチャートである。
【図１０】本発明の各実施形態による自動販売機及び自動販売機のディスプレイ装置の制御フローチャートである。
【図１１】本発明の各実施形態による自動販売機及び自動販売機のディスプレイ装置の制御フローチャートである。
【図１２】本発明の各実施形態による自動販売機及び自動販売機のディスプレイ装置の制御フローチャートである。
【図１３】本発明の各実施形態による自動販売機及び自動販売機のディスプレイ装置の制御フローチャートである。
【図１４】本発明の各実施形態による自動販売機及び自動販売機のディスプレイ装置の制御フローチャートである。
【図１５】本発明の各実施形態による自動販売機及び自動販売機のディスプレイ装置の制御フローチャートである。
【図１６】本発明の各実施形態による自動販売機及び自動販売機のディスプレイ装置の制御フローチャートである。
【発明を実施するための形態】
【００４３】
以下、添付図面を参照して本発明に対して説明する。明細書の全体を通じて同一または類似な構成要素に対しては同一な参照符号を付ける。また、同一な構成要素に対しては、体表的な実施形態で説明し、他の実施形態ではその説明を省略することもできる。
【００４４】
図１乃至図４に示すように、本発明の一実施形態による自動販売機１は、販売機本体２と、販売機本体２を開閉するドア３と、を含むことができる。具体的に、自動販売機１は、複数の商品を保管する商品保管部１０と、商品保管部１０から商品を排出する排出部１４と、ともに排出可能に複数の商品を選択することができる入力部３０と、選択された商品の情報及び数量を表示するディスプレイ部４０と、選択された商品の情報及び数量に従って商品を排出部１４に排出するように商品保管部１０を制御する制御部７０と、を含む。
【００４５】
ドア３には、本発明の一実施形態で、金銭を投入することができる金銭投入口５と、投入された金銭を返還させることができる返還ボタン９と、返還される金銭を取り出すことができる金銭返還口７が設けられる。また、ドア３には、排出部１４と連通されて排出部１４に排出された商品を外部に取り出すことができる取出口１８が設けられる。本発明の一例で金銭投入口５には、投入された金銭の金額を判読するように金銭リーダー（図示せず）が連結されており、金銭リーダーから判読された投入金額は制御部７０に伝達されることができる。金銭投入口５及び金銭リーダー（図示せず）等に関する構成は、公知技術であるので詳しい説明を省略する。
【００４６】
商品保管部１０は、多種の商品を保管することができるように販売機本体２内に形成される。商品保管部１０は、本発明の一例で複数の商品を上下方向に積載することができるスタック（stack）１１が左右方向に複数で配列されるように設けられる。しかし、商品保管部１０は、ここに限られず、商品を左右方向に積載することができるスタック１１が上下方向に複数で配列されるように設けられる。各スタック１１の下側に商品を排出することができるように排出口１２が設けられる。商品保管部１０の構成及び商品の保管方式や取出方式などは、公知技術であるので詳しい説明を省略する。
【００４７】
商品保管部１０に保管された商品は、本発明の一例で落下時に破損の恐れがほとんどないカンやパック類の容器入りコーラ、サイダー及びジュースなどである。しかし、商品保管部１０に保管された商品は、落下時に破損の恐れがほとんどない菓子などの食べ物や使い捨てなどの多種の物品であることができる。
【００４８】
排出部１４は、商品保管部１０から排出された複数の商品をともに収容することができる空間を形成することが好ましい。本発明の一実施形態によると、図２及び図３に示すように、排出口１２は、商品保管部１０の複数のスタック１１から同時に排出される商品を収容することができるように充分に広く形成される。排出部１４には、商品保管部１０から排出された商品が取出口１８を通じて取り出されたかを感知することができる取出感知センサー１５が付着されることができる。取出感知センサー１５は、排出部１４内に商品が収容されているかを感知することができるように圧力センサー或いは光センサーなど公知の多様なセンサーで設けられることができる。取出感知センサー１５は、制御部７０の制御によって商品の取出可否を感知することができるし、感知された信号を制御部７０に提供することができる。
【００４９】
排出部１４と商品保管部１０との間には、商品保管部１０から排出された商品を排出部１４に案内する排出通路１６が設けられる。本発明の一例で図２に示すように、排出通路１６は一つで設けられ、商品保管部１０の各スタック１１から同時に排出される商品を排出部１４に同時に案内することができるように充分に広く形成される。
【００５０】
本発明の他の例で図３に示すように、排出通路１６は、商品保管部１０の各排出口１２に対応するように複数で設けられることができる。即ち、複数の排出通路１６は、本発明の一例で複数の隔壁１７によって分割されて形成されるが、これに限られず、各排出通路１６が分離されるように多様な形態で設けられることができる。したがって、商品保管部１０の複数のスタック１１から同時に排出される商品を個別の排出通路１６を通じて排出部１４に同時に案内されることができる。この場合、商品を同時に排出するだけでなく同時に排出される商品が互いにぶつからなくて商品を安全に排出部１４に案内することができる。
【００５１】
図４に示すように、本発明の一実施形態によるディスプレイ装置２０は、ともに排出可能に複数の商品を選択することができる入力部３０と、選択された商品の情報及び数量を表示するディスプレイ部４０と、選択された商品の情報及び数量に従って商品を商品保管部１０から排出部１４に排出するように制御する制御部７０と、を含む。
【００５２】
入力部３０は、ユーザー(購買者)が少なくとも一つの商品を選択することができるように設けられる。本発明の一例で、入力部３０は、ディスプレイ部４０と一体型で形成されたタッチパネル形態で設けられる。即ち、入力部３０は、タッチパネルによってタッチスクリーン機能を有するディスプレイ部４０上で具現される。図５に示すように、ユーザーがタッチスクリーン機能を有するディスプレイ部４０上に表示された商品選択メニュー５３等の選択メニューを接触することによって商品の種類及び数量などを入力することができる。しかし、入力部３０は、ここに限られず、商品の種類及び数量などを入力することができるようにドア３にボタン等のように多様な形態で設けられることができる。
【００５３】
入力部３０によって選択された複数の商品は、一種の商品が複数であることができる。例えば、入力部３０によって選択された複数の商品は、コーラだけ複数であることもできる。また、入力部３０によって選択された複数の商品は、多種の商品がそれぞれ少なくとも一つであることもできる。また、入力部３０によって選択された複数の商品は、多種のなかで少なくとも二種の商品がそれぞれ少なくとも一つであることもできる。例えば、入力部３０によって選択された複数の商品は、コーラ及びサイダーがそれぞれ少なくとも一つであることもできる。
【００５４】
制御部７０は、入力部３０を通じてユーザーによって選択された商品の情報及び数量に基づいて選択された商品を排出するように商品保管部１０を制御する。また、制御部７０は、本発明の一例で、ユーザーによって選択された商品の情報及び数量などをディスプレイ部４０に表示することができるし、ユーザーが容易に商品を選択するように既に設定されたプログラムに従ってディスプレイ部４０に多様な形態の選択メニューを表示することができる。即ち、制御部７０は、ディスプレイ部４０に表示される商品の情報及び数量及び投入金額などを制御することができる。制御部７０は、本発明の一例で、所定のメモリーを有する中央処理装置（CPU）の形態で設けられる。しかし、ここに限られず、制御部７０は、別途のメモリーを有することができるし、選択された商品の情報及び数量による商品を排出するように制御することができるし、ディスプレイ部などを制御することができる多様な形態のマイコンであることもできる。
【００５５】
本発明の一例でユーザーによって選択された商品の情報及び数量は、ディスプレイ部４０に表示される。ディスプレイ部４０は、本発明の一例で平板パネルディスプレイである。即ち、ディスプレイ部４０は、ＬＣＤ（liquid  crystal  display）パネルが装着された液晶ディスプレイである。しかし、ディスプレイ部４０は、ここに限られず、ＰＤＰ（Plasma  display  panel）或いはＯＬＥＤ（organic  light−emitting  diode）のような多様な形態で設けられることができる。ディスプレイ部４０に表示される商品の情報は、各商品に対応するアイコン及び商品名の中で少なくとも一つであることができる。しかし、ここに限られず、このような商品の情報は、各商品の販売価格、製造社、注意事項など多様な情報を含むことができる。本発明の一例でディスプレイ部４０及び制御部７０は、一体型で形成されたディスプレイ装置２０であり、ドア３の前方に付着されることができる。
【００５６】
本発明の一例で制御部７０は、ユーザーによって入力された金額に対する各商品の選択可能な個数を計算してディスプレイ部４０に表示することができる。また、制御部７０は、ユーザーによって少なくとも一つの商品が選択された場合、残りの金額に対して選択可能な商品の個数を再計算してディスプレイ部４０に表示することができる。
【００５７】
ディスプレイ部４０は、本発明の一例でユーザーによって容易に選択されることができるように商品の情報及び数量などを表示することができる。図５に示すように、制御部７０は、ユーザーによって複数の商品を直接に選択することができるようにユーザー入力モード表示領域５１をディスプレイ部４０に表示することができる。例えば、制御部７０は、ユーザーによって複数の商品を直接に選択するように排出する商品を選択することができる商品選択メニュー５３及び選択された商品の数量を設定する数量設定メニュー５４をディスプレイ部４０に表示することができる。数量設定メニュー５４は、数量を増加及び減少させることができるように一対で設けられるが、これに限られず、多様な方法で設けられることができる。例えば、数量設定メニュー５４は、図５に示すように、上下方向の矢印ボタン形象だけでなく、数字ボタンなどのように、多様に設けられることができる。また、数量設定メニュー５４は、別途のボタンなしに、商品選択メニュー５３の商品をタッチした回数によって数量を設定することもできる。
【００５８】
また、制御部７０は、各数量設定メニュー５４によって設定された数量を表示する選択数量表示領域５５と、設定された商品の数量に対応する金額を表示する選択金額表示領域５６と、各選択金額表示領域５６の合を表示する選択金額合計表示領域５７と、の中で少なくとも一つをディスプレイ部４０にさらに表示することができる。また、ディスプレイ部４０は、投入金額を表示するように投入金額表示領域４１をさらに含むことができるし、ユーザーによって選択されたメニューを実行するための確認メニュー４３及び選択されたメニューを取り消すための取り消しメニュー４５をさらに表示することができる。したがって、ユーザーは、投入した金額に従ってユーザー入力モード表示領域５１の商品選択メニュー５３及び数量設定メニュー５４を選択した後、選択された商品が排出部１４に排出されるように確認メニュー４３を選択したり、商品を再選択するように取り消しメニュー４５を選択したりすることができる。
【００５９】
制御部７０は、ユーザーによって投入された金額に従ってユーザーに商品を推薦することができるように推薦モードメニュー６１をディスプレイ部４０に表示することができる。図６に示すように、ユーザーが推薦モードメニュー６１を選択した場合、制御部７０は、推薦された商品リストを表示するように推薦モード表示領域６３をディスプレイ部４０に表示することができる。例えば、制御部７０は、投入された金額に対して釣銭が少なく残る手順で商品リストをディスプレイ部４０に表示することができる。また、制御部７０は、推薦された商品リストの中で釣銭が等しく残る商品リストの場合、商品保管部１０から各商品の排出量を検出して一番多く排出された商品手順で表示することができる。例えば、図６に示すように、投入金額が５０００ウォンで、コーラの価格が４００ウォン、サイダーの価格が５００ウォン、ジュースの価格が６００ウォンであり、一番多く排出された商品の手順が、コーラ、サイダー、ジュースである場合、商品リストは、釣銭が一番少なく残って一番多く販売された商品手順で作成される。したがって、商品リスト１番の推薦メニュー６５は、釣銭が０ウォンで一番多く販売されたコーラが一番多く選択されるように、コーラ１１個およびジュース１個と設定される。また、商品リスト２番の推薦メニュー６５は、釣銭が０ウォンで一番多く販売されたコーラが二番目で多く選択されるように、コーラ１０個およびサイダー２個と設定される。このような方法で、商品リスト３番及び４番の推薦メニュー６５等が選択されることができる。商品リストの推薦メニュー６５は、ユーザーが容易に選択することができるように、十分な個数で提供されることが好ましい。本発明の一例で商品リストの推薦メニュー６５が５個で設けられたが、ここに限られず、四つ以下あるいは六つ以上に多様に設けられることができる。
【００６０】
しかし、制御部７０は、釣銭が少なく残る手順を優先的に考慮するの代わりに、商品保管部１０から各商品の排出量を検出して一番多く排出された商品を優先的に商品リストを作成することもできる。また、制御部７０は、釣銭が等しく残る商品リストに対しては、既に設定された人気商品リストなどに従って商品リストの手順を決めることもできる。
【００６１】
制御部７０は、ともに排出可能に選択された複数の商品の中で商品保管部１０から排出部１４に一度に排出されることができる商品の数量を制限することができる。本発明の一例で制御部７０は、一度に排出可能に既に設定された商品の基準数量に基づいて、一度に排出されることができる商品の数量を基準数量以下に制御することができる。ここで、ともに排出可能に選択された複数の商品は、ユーザーが入力部３０を通じて選択した複数の商品を示す。また、排出部１４に一度に排出されることができる商品の数量は、ユーザーが選択した複数の商品の中で排出部１４の用量などを考慮して排出部１４に一度に排出されることができる商品量を示す。例えば、ユーザーがともに排出するように選択した複数の商品がコーラ１０個であり、排出部１４の用量などを考慮して排出部１４に一度に排出されることができるように既に設定された基準数量が６個である場合、排出部１４で一度に排出される商品量はコーラ６個で、排出部１４で一度にコーラ６個が取出された後に、再び排出部１４で一度に残りであるコーラ４個が排出される。
【００６２】
本発明の他の例で制御部７０は、各商品別に既に設定された加重値及び一度に排出可能に既に設定された基準加重置に基づいて、一度に排出されることができる商品の加重置の合を前記基準加重値以下に制御することができる。例えば、各商品別に既に設定された加重値がコーラ１、サイダー１、ジュース２であり、排出部１４の用量などを考慮して既に設定された基準加重値が６である場合、ユーザーがコーラ５個及びジュース２個を選択すれば、排出部１４に一度に排出される商品の数量は、基準加重値以下で基準加重値に一番近接するように設定される。即ち、コーラ４個及びジュース１個が排出される。排出部１４で商品が取出された後に、残りであるコーラ１個及びジュース１個が一度に排出される。しかし、ここに限られず、排出部１４に一度に排出される商品の数量が、基準加重値以下であり同じ商品である、コーラ５個を排出部１４に一度に排出し、そのコーラの取出後に、残りであるジュース２個が一度に排出される。
【００６３】
このような構成によって、本発明による自動販売機１は、ユーザーが入力部３０を通じてともに排出可能に複数の商品を選択することができる。したがって、個別に商品を選択する場合に比べて使用時間を短縮するだけでなく使用が便利である。
【００６４】
また、本発明による自動販売機１は、ユーザーがともに排出可能に選択した複数の商品の中で少なくとも複数の商品を一度に排出部１４に排出することができる。したがって、個別に商品を選択する場合に比べて使用時間を短縮するだけでなく使用が便利である。
【００６５】
また、本発明による自動販売機１は、一度に排出される商品の排出量を制限することができる。したがって、排出部１４の用量に比べてあまりにも多い商品が一度に排出されてユーザーが排出部１４に排出された商品を難しく取出すことを防止することができるので使用が便利である。
【００６６】
本発明の実施形態による自動販売機及び自動販売機用ディスプレイ装置の制御方法を図７乃至図１６に示す制御フローチャートに基づいて説明する。
【００６７】
まず、図７に示すように、本発明の一実施形態による自動販売機の制御方法は、ユーザーが投入した金銭の金額を検出する（Ｐ１−１）。この場合、図５に示すように、ユーザーが投入した金額は、ディスプレイ部４０に表示される。また、選択可能な商品が表示される（Ｐ１−３）。この場合、選択可能な商品がディスプレイ部４０に表示されることができる。
【００６８】
その後、制御部７０は、ユーザーによって選択された商品及び数量を検出する（Ｐ１−５）。即ち、ユーザーが商品及び数量を選択すれば、制御部７０は、ユーザーによって選択された商品の種類及び数量を検出する。
【００６９】
その後、制御部７０は、選択された商品の総金額と投入金額を比べる（Ｐ１−７）。この時選択された商品の総金額が投入金額以下である場合、選択された複数の商品の情報及び数量を表示する（Ｐ１−９）。この場合、選択された複数の商品の情報及び数量がディスプレイ部４０に表示されることができる。即ち、図５に示すように、選択された商品、数量及び選択された商品の金額などがディスプレイ部４０に表示されることができる。その後、商品選択の完了可否を判断する（Ｐ１−１５）。本発明の一例で商品選択を完了した場合には、ユーザーが確認メニュー４３を押すことができる。しかし、もしユーザーが所定の時間確認メニュー４３を押さなかったり取り消しメニュー４５を押す場合には、制御部７０は、商品選択が完了されなかったと判断してＰ１−３段階に再び帰る。また、商品選択が完了されれば、選択された商品が排出部１４に排出される（Ｐ１−１７）。
【００７０】
もし、選択された商品の総金額が投入金額より多ければ、警告メッセージを表示する（Ｐ１−１１）。この場合、警告メッセージは、選択された商品の総金額が投入金額を超過して商品をさらに選択できないという内容を含む。その後、投入金額以下の選択された商品の情報及び数量をディスプレイ部４０に表示する（Ｐ１−１３）。その後、商品選択が完了されたかを判断し（Ｐ１−１５）、その次は、前述の段階と同じなので説明を省略する。しかし、ここに限られず、制御部７０がユーザーによって商品の数量が選択される時ごとに選択された商品の総金額と投入金額を比べて、選択された商品の総金額が投入金額より多い場合には警告メッセージの表示と共にさらに商品を選択することができないように制御することもできる。
【００７１】
このような構成によって、図７に示す実施形態による自動販売機の制御方法によってユーザーはともに排出可能に複数の商品を選択することができる。したがって、個別に商品を選択する場合に比べて使用時間を短縮するだけでなく使用が便利である。
【００７２】
図８に示すように、本発明の他の実施形態による自動販売機の制御方法は、ユーザーが投入した金銭の金額を検出する（Ｐ２−１）。この場合、図５に示すように、ユーザーによって投入された金額は、図５に示すように、ディスプレイ部４０に表示される。その後、選択可能な商品が表示される（Ｐ２−３）。この場合、選択可能な商品がディスプレイ部４０に表示されることができる。
【００７３】
その後、ユーザーによってユーザー入力モードの商品選択メニュー５３などが選択されたかを判断する（Ｐ２−５）。もしユーザー入力モードの商品選択メニュー５３などが選択された場合、制御部７０は、商品選択メニュー５３及び数量設定メニュー５４によってユーザーの選択を検出する（Ｐ２−９）。即ち、ユーザーがユーザー入力モードの商品選択メニュー５３及び数量設定メニュー５４によって商品及び数量を選択すれば、制御部７０は、ユーザーによって選択された商品の種類及び数量を判断する。
【００７４】
その後、制御部７０は、選択された商品の総金額と投入金額を比べる（Ｐ２−１１）。この時に選択された商品の総金額が投入金額以下の場合、選択された複数の商品の情報及び数量を表示する（Ｐ２−１３）。この場合、選択された複数の商品の情報及び数量は、ディスプレイ部４０に表示されることができる。即ち、図５に示すように、選択された商品、数量及び選択された商品の金額などがディスプレイ部４０に表示されることができる。その後、商品選択が完了されたかを判断する（Ｐ２−２０）。本発明の一例で商品選択を完了した場合には、ユーザーが確認メニュー４３を押すことができる。しかし、もしユーザーが所定の時間確認メニュー４３を押さなかったり取り消しメニュー４５を押す場合には、商品選択が完了されなかったと判断してＰ２−３過程に再び帰る。また、商品選択が完了されれば、選択された商品が排出部１４に排出される（Ｐ２−２１）。
【００７５】
もし、Ｐ２−５過程でユーザー入力モードの商品選択メニュー５３などが選択されなかったら、推薦モードメニュー６１が選択されたかを判断する（Ｐ２−７）。この場合、推薦モードメニュー６１が選択された場合、図６に示すように、推薦リストを表示する（Ｐ２−１８）。その後、推薦メニュー６５の中で選択された一つを検出する（Ｐ２−１９）。即ち、ユーザーが推薦メニュー６５のリスト中で一つを選択すれば、制御部７０は、選択された推薦メニュー６５を検出する。その後、商品選択が完了されたかを判断し（Ｐ２−２０）、その次は、前述の段階と同じなので説明を省略する。
【００７６】
また、もし選択された商品の総金額が投入金額より多ければ、警告メッセージを表示する（Ｐ２−１５）。この場合、警告メッセージは、選択された商品が投入金額を超過して商品をさらに選択できないという内容を含む。その後、投入金額以下の選択された商品の情報及び数量をディスプレイ部４０に表示する（Ｐ２−１７）。その後、商品選択が完了されたかを判断し（Ｐ２−２０）、その次は、前述の段階と同じなので説明を省略する。
【００７７】
このような構成によって、図８に示す実施形態による自動販売機の制御方法によってユーザーはともに排出可能に複数の商品をユーザー入力モード及び推薦モードで提供される多様な方法で選択することができる。したがって、個別に商品を選択する場合に比べて使用時間を短縮するだけでなく使用が便利である。
【００７８】
図９及び図１０に示すように、本発明による自動販売機の制御方法は、図７の実施形態で一度に排出される商品の数量を制限するように限定したこととして、Ｐ３−１の過程でＰ３−１５の過程は、図７とほとんど類似なので詳しい説明を省略する。
【００７９】
また、商品選択の完了可否を判断して（Ｐ３−１５）、商品選択が完了された場合には、制御部７０が選択された商品数量と既に設定された基準数量を比べる（Ｐ３−１７）。もし、選択された商品数量が既に設定された基準数量以下の場合には、選択された商品を一度に排出部１４に排出する（Ｐ３−１９）。もし、選択された商品数量が既に設定された基準数量より多い場合には、選択された商品の中で基準数量だけを一度に排出部１４に排出する（Ｐ３−２１）。
【００８０】
その後、排出部１４で商品の取出完了の可否を判断する（Ｐ３−２３）。商品の取出が完了されれば、選択された残りの商品の数量と基準数量を再比較する（Ｐ３−２５）。もし、選択された残りの商品数量が既に設定された基準数量以下の場合には、選択された残りの商品を一度に排出部１４に排出する（Ｐ３−２７）。しかし、選択された商品数量が既に設定された基準数量より多い場合には、Ｐ３−２１過程に再び帰って選択された残りの商品の中で基準数量だけ一度に排出部１４に排出する（Ｐ３−２１）。次の段階は前述の過程を同じように繰り返す。
【００８１】
このような構成によって、図９及び図１０に示す実施形態による自動販売機の制御方法によって、ユーザーはともに排出可能に複数の商品を選択することができるし、ともに排出可能に選択した複数の商品の中で少なくとも複数の商品を一度に排出部１４に排出することができるし、一度に排出される商品の排出量を制限することができる。したがって、個別に商品を選択する場合に比べて、使用時間を短縮するだけでなく使用が便利であり、排出部１４の用量より多い商品が一度に排出されてユーザーが排出部１４に排出された商品を難しく取り出すことを防止することができるので使用が便利である。
【００８２】
図１１及び図１２に示すように、本発明による自動販売機の制御方法は、図８の実施形態とは異なり、ユーザーによって選択された商品数量と既に設定された基準数量を比べて一度に排出される商品の数量を制限するように限定したこととして、Ｐ４−１過程でＰ４−２０過程は、図８とほとんど類似なので詳しい説明を省略する。
【００８３】
Ｐ４−２１過程乃至Ｐ４−３１過程は、ユーザーが選択された商品数量と既に設定された基準数量を比べて一度に排出される商品の数量を制限するように限定したことで、図９及び図１０のＰ３−１７過程乃至Ｐ３−２７過程とほとんど同じなので詳しい説明を省略する。
【００８４】
このような構成によって、図１１及び図１２に示す実施形態による自動販売機の制御方法によってユーザーはともに排出可能に複数の商品をユーザー入力モード及び推薦モードで提供される多様な方法で選択することができるし、ともに排出可能に選択した複数の商品の中で少なくとも複数の商品を一度に排出部１４に排出することができるし、一度に排出される商品の排出量を制限することができる。したがって、個別に商品を選択する場合に比べて使用時間を短縮するだけでなく使用が便利であり、排出部１４の用量に比べてあまり多い商品が一度に排出されてユーザーが排出部１４に排出された商品を難しく取り出すことを防止することができるので使用が便利である。
【００８５】
図１３及び図１４に示すように、本発明による自動販売機の制御方法は、図９及び図１０の実施形態とは異なり、一度に排出される商品の数量を制限する方法を変更したことで、Ｐ５−１の過程でＰ５−１５の過程は、図７とほとんど類似なので詳しい説明を省略する。
【００８６】
また、商品選択の完了可否を判断して（Ｐ５−１５）、商品選択が完了された場合には制御部７０が既に設定された各商品の加重値に基づいて選択された商品の加重置の合と既に設定された基準加重値を比べる（Ｐ５−１７）。もし、選択された商品の加重置の合が既に設定された基準加重値以下の場合には、選択された商品を一度に排出部１４に排出する（Ｐ５−１９）。もし、選択された商品の加重置の合が既に設定された基準加重値より多い場合には、選択された商品の中で基準加重値以下の商品数量だけを一度に排出部１４に排出する（Ｐ５−２１）。
【００８７】
その後、排出部１４で商品の取出完了の可否を判断する（Ｐ５−２３）。商品の取出が完了されれば、選択された残りの商品の加重置の合と基準加重値を再比較する（Ｐ５−２５）。もし、選択された残りの商品の加重置の合が既に設定された基準加重値以下の場合には、選択された残りの商品を一度に排出部１４に排出する（Ｐ５−２７）。もし、選択された商品の加重置の合が既に設定された基準加重値より多い場合には、Ｐ５−２１過程に再び帰って選択された残りの商品の中で基準加重値以下の数量だけを一度に排出部１４に排出する（Ｐ５−２１）。次の段階は前述の過程を同じように繰り返す。
【００８８】
このような構成によって、図１３及び図１４に示す実施形態による自動販売機の制御方法によってユーザーはともに排出可能に複数の商品を選択することができるし、ともに排出可能に選択した複数の商品の中で少なくとも複数の商品を一度に排出部１４に排出することができるし、一度に排出される商品の排出量を制限することができる。したがって、個別に商品を選択する場合に比べて、使用時間を短縮するだけでなく使用が便利であり、排出部１４の用量より多い商品が一度に排出されてユーザーが排出部１４に排出された商品を難しく取り出すことを防止することができるので使用が便利である。
【００８９】
図１５及び図１６に示すように、本発明による自動販売機の制御方法は、図１１の実施形態とは異なり、既に設定された各商品の加重値に基づいて選択された商品の加重置の合と既に設定された基準加重値を比べて一度に排出される商品の数量を制限するように限定する方法として、Ｐ６−１の過程でＰ６−２０の過程は、図８とほとんど類似なので詳しい説明を省略する。
【００９０】
また、Ｐ６−２１の過程乃至Ｐ６−３１の過程は、既に設定された各商品の加重値に基づいて選択された商品の加重置の合と既に設定された基準加重値を比べて一度に排出される商品の数量を制限するように限定する方法に係り、図１３及び図１４のＰ５−１７の過程乃至Ｐ５−２７の過程とほとんど同じなので詳しい説明を省略する。
【００９１】
このような構成によって、図１５及び図１６に示す実施形態による自動販売機の制御方法によってユーザーはともに排出可能に複数の商品をユーザー入力モード及び推薦モードで提供される多様な方法で選択することができるし、ともに排出可能に選択した複数の商品の中で少なくとも複数の商品を一度に排出部１４に排出することができるし、一度に排出される商品の排出量を制限することができる。したがって、個別に商品を選択する場合に比べて使用時間を短縮するだけでなく使用が便利であり、排出部１４の用量に比べてあまり多い商品が一度に排出されてユーザーが排出部１４に排出された商品を難しく取り出すことを防止することができるので使用が便利である。
【００９２】
前述のように、本発明の一実施形態は、複数の商品が選択されてともに排出されることができる自動販売機のためのディスプレイ装置、自動販売機及びその制御方法を提供する。
【００９３】
また、複数の商品は一度に排出されることができる。
【００９４】
さらに、一度に排出される商品の数量は制限されることができる。
【００９５】
以上、多様な実施形態を通じて本発明に対して図示し説明したが、本発明の属する技術分野の通常の知識を有する人なら本発明の原則や精神に外れなく本発明の一実施形態を変形し得ることを分かることができる。発明の範囲は、特許請求の範囲とその均等物によって定められる。
【図１】
2011523148.tif 000003
【図２】
2011523148.tif 000004
【図３】
2011523148.tif 000005
【図４】
2011523148.tif 000006
【図５】
2011523148.tif 000007
【図６】
2011523148.tif 000008
【図７】
2011523148.tif 000009
【図８】
2011523148.tif 000010
【図９】
2011523148.tif 000011
【図１０】
2011523148.tif 000012
【図１１】
2011523148.tif 000013
【図１２】
2011523148.tif 000014
【図１３】
2011523148.tif 000015
【図１４】
2011523148.tif 000016
【図１５】
2011523148.tif 000017
【図１６】
2011523148.tif 000018
【国際調査報告】
2011523148.tif 000019
2011523148.tif 000020